(57)【要約】【課題】ユーザの選択した放送局のＥＰＧデータを表示できるディジタル放送受信機を提供する。【解決手段】番組情報取得保持回路５は、ユーザが選択した一つの放送局のすべてのＥＰＧデータを保存するのに、その放送局に対して割当てられたメモリ容量が不足する時は、他の放送局に割当てられたメモリ領域を用いて、不足するメモリ容量を補充するためのメモリの割当て変更を行ない、ユーザが選択したその放送局のすべてのＥＰＧデータを取得して、割当て変更したメモリ領域に保存する。リモートコントローラ２２からＥＰＧデータの表示要求があると、マイクロコントローラ７は、番組情報取得保持回路５に、メモリに保存したＥＰＧデータを表示するように指示する。【選択図】        図１
2004179829.tif 000002
【特許請求の範囲】
【請求項１】
ディジタル放送で送信されているＥＰＧデータを取得して、放送局毎に割当てられたメモリ領域に保存し、保存したＥＰＧデータを表示するディジタル放送受信機において、該ディジタル放送受信機は、ユーザが選択した一つの放送局のすべてのＥＰＧデータを取得し、該放送局のすべてのＥＰＧデータを保存するのに、該放送局に対して割当てられたメモリ容量が不足する時は、他の放送局に割当てられたメモリ領域を用いて、不足するメモリ容量を補充するためのメモリの割当て変更を行ない、前記ユーザが選択した一つの放送局について取得したすべてのＥＰＧデータを前記割当て変更したメモリ領域に保存し、保存したＥＰＧデータを表示するようにしたことを特徴とするディジタル放送受信機。
【請求項２】
前記ディジタル放送受信機は、ＥＰＧデータを保存するために割当てられた全メモリ領域から、前記割当て変更したメモリ領域を除いたメモリ領域を、ユーザが選択した他の放送局に対して割当てし直し、該ユーザが選択した他の放送局のＥＰＧデータを取得して、該取得したＥＰＧデータを前記割当てし直したメモリ領域に保存し、保存したＥＰＧデータを表示するようにしたことを特徴とする請求項１に記載のディジタル放送受信機。
【請求項３】
ディジタル放送で送信されているＥＰＧデータを取得して、放送局毎に割当てられたメモリ領域に保存し、保存したＥＰＧデータを表示するディジタル放送受信機において、該ディジタル放送受信機は、ＥＰＧデータを保存するために割当てられた全メモリ領域を、ユーザが選択した放送局に対して割当てし直し、該ユーザが選択した放送局のＥＰＧデータを取得して、該取得したＥＰＧデータを前記割当てし直したメモリ領域に保存し、保存したＥＰＧデータを表示するようにしたことを特徴とするディジタル放送受信機。
【請求項４】
ディジタル放送で送信されているＥＰＧデータを取得して、放送局毎に割当てられたメモリ領域に保存し、保存したＥＰＧデータを表示するディジタル放送受信機において、該ディジタル放送受信機は、ＥＰＧデータを保存するために割当てられた全メモリ領域を、ユーザが優先順位をつけて選択した放送局の内、優先順位の高い放送局から順に、選択された放送局のすべてのＥＰＧデータを保存するために必要なメモリ容量になるように割当てし直し、メモリが割当てられた放送局のすべてのＥＰＧデータを取得して、該取得したＥＰＧデータを前記割当てし直したメモリ領域に保存し、保存したＥＰＧデータを表示するようにしたことを特徴とするディジタル放送受信機。
【請求項５】
前記ディジタル放送受信機は、ユーザが指定した表示開始日以降のＥＰＧデータを表示するようにしたことを特徴とする請求項１ないし請求項４のいずれか１に記載のディジタル放送受信機。
【発明の詳細な説明】
【０００１】
【発明の属する技術分野】
本発明は、ディジタル放送受信機に関し、より詳細には、送信されているＥＰＧ（Ｅｌｅｃｔｒｉｃ  Ｐｒｏｇｒａｍ  Ｇｕｉｄｅ）データの中からユーザが選択した放送局のＥＰＧデータを取得して、メモリに保存し、保存したＥＰＧデータを表示することのできるディジタル放送受信機に関する。
【０００２】
【従来の技術】近年、国内では、ＢＳディジタル放送が開始され、また、今後、地上波ディジタル放送等が計画されており、これらに対応したディジタル放送受信機が種々提案されている。
これらのディジタル放送では、映像データや音声データと共に、番組の題名、開始時刻と終了時刻、番組概要、出演者等の情報を含んだＥＰＧ（Ｅｌｅｃｔｒｉｃ  Ｐｒｏｇｒａｍ  Ｇｕｉｄｅ）データが送信される。これらのデータは、それぞれ異なったＰＩＤ（パケット識別子）により識別されるパケット単位で構成され、さらに、これらのパケットは、ＩＳＯ／ＩＥＣ１３８１８−１で規定されているトランスポートストリームとしてまとめられて送信される。
【０００３】
ディジタル放送受信機は、受信したトランスポートストリームの中から、映像データや音声データを分離してデコードすることにより、映像信号や音声信号を取得する。また、ディジタル放送受信機は、トランスポートストリームからＥＰＧデータを取り出し、ＥＰＧ、つまり、電子番組表として表示する機能を提供し、ユーザの利便性を向上している。
【０００４】
従来のディジタル放送受信機は、一般的に、全放送局の一定の期間（例えば、テレビ８日分＋ラジオ３日分）の番組情報をＥＰＧとして表示する機能を有している。しかし、実際のディジタル放送では、一定の期間よりさらに未来のＥＰＧデータも送出されていることがあり（例えば、３２日分のＥＰＧデータ）、その送出されるＥＰＧデータについては、国内ＢＳディジタル放送の場合は、「ＡＲＩＢ  ＴＲ−Ｂ１５（第二分冊）」で規定されている。
【０００５】
ＥＰＧデータは、パケット単位に送信されており、ディジタル放送受信機は、取得したＥＰＧデータを一旦メモリに保存する。ところが、ディジタル放送受信機のメモリ（ＤＲＡＭやＮＶＲＡＭ等）容量には上限があるため、送信されるＥＰＧデータのデータ量によっては、一定の期間以降の番組情報をメモリに保存できず、ＥＰＧとして表示できないケースがある。
【０００６】
従来技術では、ＥＰＧの拡大縮小表示を可能とし、同時に、拡大縮小倍率に応じて表示する情報量を調整することができるＥＰＧ情報表示装置がある。このＥＰＧ情報表示装置は、広い範囲を表示（縮小表示）する場合には、文字等が小さくなり見難くなることを、表示する情報量を調整することにより回避し、また、特定の時間帯と特定の放送局の情報をズームアップ（拡大表示）することで見やすく、より詳細な情報を表示できる（例えば、特許文献１参照）。
【０００７】
また、他の従来技術では、受信チャネルの選択頻度を検出して、ＥＰＧ内の番組の配置を選択頻度の高い受信チャネルの順に配置換えすることができるＥＰＧ表示機能を備えた電子機器がある。この電子機器は、選択頻度に応じて受信チャネルの番組の配置を変更することにより検索を容易にしたり、選択頻度の低い受信チャネルの詳細情報を簡略化することにより、少ないメモリ容量でＥＰＧを実現しているが、選択頻度の高い受信チャネルとユーザが番組情報を取得したい受信チャネルとが必ずしも一致しないといった欠点がある。（例えば、特許文献２参照）。
【０００８】
【特許文献１】
特開２０００−１１５６５２号公報（第３−１７頁、第２図）
【特許文献２】
特開平９−１８２０３５号公報（第２−８頁、第３図）
【０００９】
【発明が解決しようとする課題】
特定の放送局の番組しか見ないユーザや、一ヶ月先の特定の番組をＥＰＧから予約したいといったユーザの中には、特定の放送局の番組情報のみでよいから、より多くの情報を得たいという要望がある。しかしながら、従来のディジタル放送受信機で、ＥＰＧに表示される一定期間以降の番組情報を利用するには、ディジタル放送受信機の搭載メモリの容量を増やす必要があり、コストアップにつながるといった問題があった。
【００１０】
本発明は、上述した問題点を解決するために、ディジタル放送受信機の搭載メモリ容量を増やすことなく、送信されているＥＰＧデータの中からユーザの要望する放送局のＥＰＧデータを取得し、ＥＰＧとして表示することができるディジタル放送受信機を提供することを目的とする。
【００１１】
【課題を解決するための手段】
本発明は、ディジタル放送で送信されているＥＰＧデータを取得して、放送局毎に割当てられたメモリ領域に保存し、保存したＥＰＧデータを表示するディジタル放送受信機において、該ディジタル放送受信機は、ユーザが選択した一つの放送局のすべてのＥＰＧデータを取得し、該放送局のすべてのＥＰＧデータを保存するのに、該放送局に対して割当てられたメモリ容量が不足する時は、他の放送局に割当てられたメモリ領域を用いて、不足するメモリ容量を補充するためのメモリの割当て変更を行ない、前記ユーザが選択した一つの放送局について取得したすべてのＥＰＧデータを前記割当て変更したメモリ領域に保存し、保存したＥＰＧデータを表示するようにしたことを特徴とする。
【００１２】
また、前記ディジタル放送受信機は、ＥＰＧデータを保存するために割当てられた全メモリ領域から、前記割当て変更したメモリ領域を除いたメモリ領域を、ユーザが選択した他の放送局に対して割当てし直し、該ユーザが選択した他の放送局のＥＰＧデータを取得して、該取得したＥＰＧデータを前記割当てし直したメモリ領域に保存し、保存したＥＰＧデータを表示するようにしたことを特徴とする。
【００１３】
また、ディジタル放送で送信されているＥＰＧデータを取得して、放送局毎に割当てられたメモリ領域に保存し、保存したＥＰＧデータを表示するディジタル放送受信機において、該ディジタル放送受信機は、ＥＰＧデータを保存するために割当てられた全メモリ領域を、ユーザが選択した放送局に対して割当てし直し、該ユーザが選択した放送局のＥＰＧデータを取得して、該取得したＥＰＧデータを前記割当てし直したメモリ領域に保存し、保存したＥＰＧデータを表示するようにしたことを特徴とする。
【００１４】
また、ディジタル放送で送信されているＥＰＧデータを取得して、放送局毎に割当てられたメモリ領域に保存し、保存したＥＰＧデータを表示するディジタル放送受信機において、該ディジタル放送受信機は、ＥＰＧデータを保存するために割当てられた全メモリ領域を、ユーザが優先順位をつけて選択した放送局の内、優先順位の高い放送局から順に、選択された放送局のすべてのＥＰＧデータを保存するために必要なメモリ容量になるように割当てし直し、メモリが割当てられた放送局のすべてのＥＰＧデータを取得して、該取得したＥＰＧデータを前記割当てし直したメモリ領域に保存し、保存したＥＰＧデータを表示するようにしたことを特徴とする。
【００１５】
また、前記ディジタル放送受信機は、ユーザが指定した表示開始日以降のＥＰＧデータを表示するようにしたことを特徴とする。
【００１６】
【発明の実施の形態】
図１は、本発明のディジタル放送受信機の実施例の構成図で、同図において、７はディジタル放送受信機を制御するマイクロコントローラであり、このマイクロコントローラ７には、ユーザが操作するリモートコントローラからの赤外線リモートコントロール信号を受信するリモコン受光部１１が接続されている。マイクロコントローラ７は、リモコン受光部１１で受信した赤外線リモートコントロール信号のデコードを行い、チューナ２やその他の部位及びディジタル放送受信機全体をコントロールし、選局動作などのユーザ操作に対して応答を行う。
【００１７】
マイクロコントローラ７は、チューナ２を制御して、ユーザにより選択されたチャネルを選局し、チューナ２より出力されるトランスポートストリームを、ＭＰＥＧデマルチプレクサ３へ入力する。ＭＰＥＧデマルチプレクサ３からの出力である選択された番組の映像データと音声データは、Ａ／Ｖデコーダ４へ供給され、また並行して、ＭＰＥＧデマルチプレクサ３からの他の出力であるＥＰＧデータは、番組情報取得保持回路５へ供給される。番組情報取得保持回路５は、取得したＥＰＧデータを保存するメモリ１２を有しており、放送局毎に割当てられたメモリ領域に、取得したＥＰＧデータを保存する。
【００１８】
Ａ／Ｖデコーダ４によりデコードされた番組のディジタル映像信号と、番組情報取得保持回路５にて生成されたＥＰＧデータ信号と、キャラクタジェネレータ６にて生成されたＯＳＤ（Ｏｎ  Ｓｃｒｅｅｎ  Ｄｉｓｐｌａｙ）データ信号とが合成器８へ入力され、合成されたディジタル信号がディジタル−アナログ変換回路９に入力されてＣＲＴ１０に供給される。
【００１９】
ユーザがリモートコントローラから放送局を選択すると、マイクロコントローラ７は、ユーザが選択した放送局を番組情報取得保持回路５に設定する。番組情報取得保持回路５は、ユーザが選択した放送局のすべてのＥＰＧデータを取得して保存するのに、その放送局に対して割当てられたメモリ容量が不足する時は、メモリ割当てを変更し、そのユーザが選択した放送局のＥＰＧデータを取得して、メモリに保存する。
リモートコントローラからＥＰＧデータの表示要求があると、マイクロコントローラ７は、メモリに保存したＥＰＧデータを合成器８に出力するように、番組情報取得保持回路５に指示し、ＥＰＧデータをＣＲＴ１０に表示する。
【００２０】
図２は、ユーザがＥＰＧを見ながらリモコン操作により放送局を選択する例を示す図で、同図において、テレビジョン２１に表示されているＥＰＧは、放送局欄３０と番組欄３１から構成されている。放送局欄３０には、放送局のチャネル番号が表示されており、また、番組欄３１には、放送局欄３０の放送局に対応する番組情報が表示される。例えば、最上段の放送局のチャネル番号は、「１０１」で、対応する番組情報が欄２５に表示される。ユーザ２３は、ＥＰＧ画面上のユーザ指定枠２４をリモートコントローラ２２の操作によって、より詳細な情報を取得したい放送局のチャネル番号に移動させ、選択する。複数の放送局を選択する場合は、この操作を繰り返すことにより選択できる。
【００２１】
また、リモートコントローラ２２から、ＥＰＧデータの表示開始日の指定や、複数の放送局を選択する場合の条件設定を指定することができる。表示開始日の指定は、表示開始日以降のＥＰＧデータを表示するための指定であるが、選択した放送局のすべてのＥＰＧデータをメモリに保存する指定でない場合は、表示開始日より前の日のＥＰＧデータのメモリへの保存をやめて、より多くの未来のＥＰＧデータをメモリに保存するため、この表示開始日以降のＥＰＧデータをメモリに保存する。また、選択した放送局のすべてのＥＰＧデータをメモリに保存する指定の場合には、ＥＰＧデータのメモリへの保存は、すべての日について行ない、表示のみ表示開始日以降について表示する。
【００２２】
複数の放送局を選択する場合の条件設定には、ユーザは一つの放送局のみ選択し、その放送局のすべてのＥＰＧデータを取得するか、または、ユーザは複数の放送局を選択し、一つの放送局のみすべてのＥＰＧデータを取得し、他の放送局はメモリ容量が許す限り多くのＥＰＧデータを取得するか、または、選択したすべての放送局についてメモリ容量の許す限り多くのＥＰＧデータを取得するか、さらに、優先順位を付けて選択した放送局の内、メモリが割当てられた放送局についてすべてのＥＰＧデータを取得するか等を指定する。優先順位指定が必要な場合は、入力順序を優先順位とすれば良い。ユーザにより指定されたこれらの情報は、マイクロコントローラ７により、番組情報取得保持回路５に設定される。
【００２３】
図３は、番組情報取得保持回路の選択された放送局のＥＰＧデータの取得と保存動作を説明するためのフローチャートであり、同図において、番組情報取得保持回路５は、ユーザが選択した一つの放送局のみすべてのＥＰＧデータを取得するかどうかチェックし（ステップＳ１）、一つの放送局のみすべてのＥＰＧデータを取得する場合、その放送局に対して割当てられたメモリ容量が不足する時は、他の放送局に割当てられたメモリ領域を利用して、不足するメモリ容量を補充するためのメモリの割当て変更を行ない（ステップＳ２）、その放送局の全期間のＥＰＧデータを取得し、割当て変更したメモリに保存した（ステップＳ３）後、ユーザが選択した他の放送局についてのＥＰＧデータ取得要否を判断し（ステップＳ４）、不要の場合は、終了する。ユーザが選択した他の放送局についてのＥＰＧデータ取得が必要な場合は、ＥＰＧデータを保存するために割当てられた全メモリ領域から、ステップ２において割当て変更したメモリ領域を除いたメモリ領域を、ユーザが選択した他の放送局に割当てし直して（ステップＳ５）、ステップ１２に進む。ＥＰＧデータを保存するために割当てられた全メモリ領域を、ユーザが選択した放送局に割当てし直すのは、放送局に割当てられていなかった領域も用いて、より多くのメモリ領域を割当てるためである。
【００２４】
ステップ１での判断が、ユーザが選択した一つの放送局のみすべてのＥＰＧデータを取得する場合以外の時は、ユーザが選択した他の放送局もすべてのＥＰＧデータを取得するかどうかチェックし（ステップＳ１０）、他の放送局もすべてのＥＰＧデータを取得する場合以外は、ＥＰＧデータを保存するため割当てられた全メモリ領域を、選択された放送局に割当てし直し（ステップＳ１１）、取得日を設定する（ステップＳ１２）。この取得日は、表示開始日の指定があった場合は、その指定日を取得日として設定し、表示開始日の指定がなかった場合は、当日を設定する。次に、選択されたすべての放送局について、取得日の１日分のＥＰＧデータを取得し（ステップＳ１３）、取得日した１日分のＥＰＧデータが残メモリ領域に入る容量かどうかチェックする（ステップＳ１４）。残メモリ領域に入らない場合は、終了し、残メモリ領域に入る場合は、取得した１日分のＥＰＧデータを、割当てし直したメモリ領域に保存し（ステップＳ１５）、取得日が送信されているＥＰＧデータの最終日と一致するかどうかチェックする（ステップＳ１６）。一致する場合は、終了し、一致しない場合は、取得日を更新して（ステップＳ１７）、ステップＳ１３に戻る。
【００２５】
この実施例では、取得した１日分のＥＰＧデータが、残メモリ領域に入らない場合は、その日のＥＰＧデータは何も保存せず終了したが、残メモリ領域に入る範囲で、例えば、３０分や１時間等の時間単位で保存しても良い。
【００２６】
ステップＳ１０において、ユーザが選択した他の放送局もすべてのＥＰＧデータを取得する場合は、ＥＰＧデータを保存するために割当てられた全メモリ領域を、優先順位の高い放送局から順に割当てし直す（ステップＳ２０）が、割当てるメモリ容量が足りなくなった時点で、割当てし直しは終了し、以後、メモリを割当てし直した放送局を対象にＥＰＧデータを取得する。次に、取得対象放送局を優先順位の１番高い放送局とし（ステップＳ２１）、取得対象放送局の全期間のＥＰＧデータを取得し、割当てし直したメモリに保存した（ステップＳ２２）後、次の優先順位の放送局にメモリが割当てられているかどうかチェックし（ステップＳ２３）、割当てられていない場合は、終了し、割当てられている場合は、取得対象放送局を一つ下の優先順位の放送局に設定し（ステップＳ２４）、ステップ２２に戻る。
【００２７】
【発明の効果】
本発明によれば、ユーザが、詳細な番組情報を取得したい放送局を選択することにより、ＥＰＧとして表示する放送局の数を減らしてメモリの空き領域をつくり、受信機の搭載メモリ容量を増やすことなく、つまり、コストアップなしに、ユーザが要望する放送局の番組情報をより多く提供できる。特に、従来のディジタル受信機では表示されない未来の番組情報を取得することができ、より使い勝手の良いＥＰＧを提供できる。
また、ユーザの選択した放送局の番組情報のみをＥＰＧとして表示するので、表示される放送局の数が減り、より分かりやすく、良好な視認性のあるＥＰＧを得ることができる。
【図面の簡単な説明】
【図１】本発明のディジタル放送受信機の実施例の構成図である。
【図２】ユーザがＥＰＧを見ながらリモコン操作により放送局を選択する例を示す図である。
【図３】番組情報取得保持回路の選択された放送局のＥＰＧデータの取得と保存動作を説明するためのフローチャートである。
【符号の説明】
１…アンテナ、２…チューナ、３…ＭＰＥＧデマルチプレクサ、４…Ａ／Ｖデコーダ、５…番組情報取得保持回路、６…キャラクタジェネレータ、７…マイクロコントローラ、８…合成器、９…ディジタル−アナログ変換回路、１０…ＣＲＴ、１１…リモコン受光部、１２…メモリ、２１…テレビジョン、２２…リモートコントローラ、２３…ユーザ、２４…ユーザ指定枠。
【図１】
2004179829.tif 000003
【図２】
2004179829.tif 000004
【図３】
2004179829.tif 000005